(57)【要約】      （修正有）【課題】様々な形状の物品を保持できると共に、その物品を保持した状態でテーブル等の上に立脚させられ、デザイン的にも優れたホルダーを提供する。【解決手段】略平板状の胴体部１０と、胴体部１０から延伸し折り曲げ自在な複数本の手足部２０とを備え、一部の折り曲げられた手足部２０が、物品を保持可能であると共に、一部の折り曲げられた手足部２０が、脚として立脚可能にする。一部の折り曲げられた手足部２０を、物品の環状部分が係止可能な構成にしてもよい。手足部２０を、樹脂の被覆された針金で形成し、樹脂の厚みが大きい大径部２１と、樹脂の厚みが小さい小径部２２とを設け、小径部２２を、大径部２１より折り曲げやすい関節として機能させてもよい。手足部の数を８とし、胴体部１０及び手足部２０から成る全体を、カニまたはタコまたはクモまたは架空生物を模した形状にしてもよい。【選択図】図１
0003207995.tif 000002
【実用新案登録請求の範囲】
【請求項１】
略平板状の胴体部と、胴体部から延伸し折り曲げ自在な複数本の手足部とを備え、
一部の折り曲げられた手足部が、物品を保持可能であると共に、一部の折り曲げられた手足部が、脚として立脚可能にする
ことを特徴とするホルダー。
【請求項２】
一部の折り曲げられた手足部に、物品の環状部分を係止可能である
請求項１に記載のホルダー。
【請求項３】
手足部が、樹脂の被覆された針金であり、
樹脂の厚みが大きい大径部と、樹脂の厚みが小さい小径部とを有し、
小径部が関節として大径部より折り曲げやすい
請求項１または２に記載のホルダー。
【請求項４】
手足部の数が８であり、
胴体部及び手足部から成る全体が、カニまたはタコまたはクモまたは架空生物を模した形状である
請求項１ないし３のいずれかに記載のホルダー。
【考案の詳細な説明】
【技術分野】
【０００１】
本考案は、携帯端末や書物やカップなど様々な物品を保持するホルダーに関する。
【背景技術】
【０００２】
携帯端末などを保持してテーブル等の上に立てられるホルダーは、便利であり幾つか市販されている。
特に変形可能なアームを有するホルダーは、アームの形状を調整することによって、様々な物品の保持に対応できる利点がある。
【０００３】
特許文献１には、腕部と足部が、折り曲げと保形性を有する材料を用いて形成されている携帯電話用グッズが開示され、立脚させた状態も開示されている。しかし、胴体部分が、携帯電話に見合う大きさであり、人体の骨格状に形成されたものに限定されている。
特許文献２及び３には、フレキシブルなアームを有する携帯電話ホルダーが開示されている。しかし、縦置き及び横置きの２通りの表示形式に対応した携帯端末用壁掛けホルダに限定されたり、通信機器の下部及び両側部を支持するホルダーに限定されている。
特許文献４には、ゴム管を巻いた針金で固定部及びスタンドを形成し、折り曲げたり拡げたりして、物品を保持可能な多目的固定器具が開示されている。しかし、ゴム管を巻いた針金による卓上スタンドに限定されている。
【先行技術文献】
【特許文献】
【０００４】
【特許文献１】特開２０００−０９２１７６号
【特許文献２】登用新案登録第３１６２２３４号
【特許文献３】登用新案登録第３００４３５７号
【特許文献４】特開２０１４−２３３９７３号
【考案の概要】
【考案が解決しようとする課題】
【０００５】
そこで、本考案は、様々な形状の物品を保持できると共に、その物品を保持した状態でテーブル等の上に立脚させられ、デザイン的にも優れたホルダーを提供することを課題とする。
【課題を解決するための手段】
【０００６】
上記課題を達成するため、本考案のホルダーは、略平板状の胴体部と、胴体部から延伸し折り曲げ自在な複数本の手足部とを備え、一部の折り曲げられた手足部が、物品を保持可能であると共に、一部の折り曲げられた手足部が、脚として立脚可能にすることを特徴とする。
【０００７】
ここで、一部の折り曲げられた手足部を、物品の環状部分が係止可能な構成にしてもよい。
【０００８】
また、手足部を、樹脂の被覆された針金で形成し、樹脂の厚みが大きい大径部と、樹脂の厚みが小さい小径部とを設け、小径部を、大径部より折り曲げやすい関節として機能させてもよい。
【０００９】
また、手足部の数を８とし、胴体部及び手足部から成る全体を、カニまたはタコまたはクモまたは架空生物を模した形状にしてもよい。
【考案の効果】
【００１０】
本考案によると、様々な形状の物品を保持してテーブル等の上に立脚させられるので、汎用性が高く便利である。
【図面の簡単な説明】
【００１１】
【図１】本考案のホルダーの実施例の正面図
【図２】本考案のホルダーの使用状態を示す斜視図
【図３】同、別実施例の斜視図
【図４】同、別実施例の斜視図
【図５】同、別実施例の斜視図
【図６】本考案のホルダーの別実施例の正面図
【考案を実施するための最良の形態】
【００１２】
以下に、本考案の実施形態を図面に基づいて説明する。なお、実施形態は、本考案の趣旨から逸脱しない範囲で、従来公知の技術を援用して適宜設計変更可能である。
【００１３】
図１は、本考案のホルダーの実施例を示す正面図である。
ホルダーには、略平板状の胴体部（１０）と、胴体部（１０）から延伸した手足部（２０）とが備わる。
図示の例では、胴体部（１０）は、略長方形状であるが、楕円状や多角形状や、後述の特定の形状でもよい。
また、図示の例では、手足部（２０）の形状は、細長い略円筒形であるが、その断面形状は円に限らず、楕円状や多角形状など、任意である。
また、図示の例では、手足部（２０）の数は８であるが、３以上の任意の数が適用できる。また、図示の例では、８本の手足部（２０）の形状は、略同一であるが、異なるものとしてもい。
更に、手足部（２０）を途中で分岐させて枝状に形成してもよい。
【００１４】
手足部（２０）は、シリコン等の樹脂の被覆された針金などによって構成され、全方位に折り曲げ自在である。
１本の手足部（２０）に、樹脂の厚みが大きい大径部（２１）と、樹脂の厚みが小さい小径部（２２）とを設け、小径部（２２）を大径部（２１）より屈曲させやすくして関節のように機能させてもよい。
図示の例では、１本の手足部（２０）当たり、５つの大径部（２１）と４つの小径部（２２）を設けているが、それらの数や長さは任意である。
また、図示の例では、各大径部（２１）の太さは略同一であるが、異なるものとしてもよい。各小径部（２２）の太さについても同様である。
【００１５】
図２は、本考案のホルダーの使用状態を示す斜視図である。
図示の例では、４本の手足部（２３）によって、開いた書物（３０）を机上で保持すると共に、４本の手足部（２４）によって、立脚している。
このように、多数の４本の手足部（２０）のうちの一部の手足部（２０）を折り曲げらて物品を保持可能であると共に、一部の折り曲げられた手足部（２０）を脚として立脚可能である。
【００１６】
図３は、本考案のホルダーの使用状態を示す別実施例の斜視図である。
図示の例では、６本の手足部（２３）（２５）によって、携帯端末（３１）を保持すると共に、４本の手足部（２４）（２５）によって、立脚している。なお、２本の手足部（２５）は、携帯端末を保持と立脚との両方に寄与している。
【００１７】
図４は、本考案のホルダーの使用状態を示す別実施例の斜視図である。
図示の例では、２本の手足部（２４）によって、桟（３２）にぶら下がると共に、端部が上方に向かって配設された６本の手足部（２３）（２６）に、鍵（３３）などの環状部分が挿通され保持されている。
【００１８】
図５は、本考案のホルダーの使用状態を示す別実施例の斜視図である。
図示の例では、端部の曲げられた４本の手足部（２３）によって、携帯端末（３１）を保持すると共に、４本の手足部（２４）によって、自動車のラック（３４）に取り付けられている。
【００１９】
図６は、本考案のホルダーの別実施例を示す正面図である。
図示の例では、手足部（２０）の数が８であり、胴体部（１０）及び手足部（２０）から成る全体形状を、（ａ）カニや（ｂ）タコや（ｃ）やクモや（ｄ）架空生物を模した形状とすることで意匠性を付与している。
【産業上の利用可能性】
【００２０】
本考案によると、多種多様な形状の物品を保持して載置できるので便利であり、産業上利用価値が高い。
【符号の説明】
【００２１】
１０  胴体部
２０、２３〜２６  手足部
２１  大径部
２２  小径部
３０  書物
３１  携帯端末
３２  桟
３３  鍵
３４  ラック
【図１】
0003207995.tif 000003
【図２】
0003207995.tif 000004
【図３】
0003207995.tif 000005
【図４】
0003207995.tif 000006
【図５】
0003207995.tif 000007
【図６】
0003207995.tif 000008